(57)【要約】【課題】観察撮影する各層の細胞の状態に対応し、撮影中においても最適の照明方法を選択し、変更することができる眼科用撮影装置を提供すること。【解決手段】光反射の制御が可能な多数の微小ミラーを有する第一ミラー素子３６を有し、第一ミラー素子３６に反射させて照明光を被検眼Ｅの前眼部にその斜め前方から照射する照明光学系６と、光反射の制御が可能な多数の微小ミラーを有する第二ミラー素子３７を有し、前眼部での反射光を第二ミラー素子３７に反射させて撮影するための撮影光学系７と、両ミラー素子３６、３７を制御するための制御装置とを備えており、この制御装置が、第一ミラー素子３６において光を反射させるべく制御された照明反射部３６ａと、第二ミラー素子３７において光を反射させるべく制御された撮影反射部３７ａとの相対位置関係を設定するように構成されている。【選択図】    図１
2004236843.tif 000002
【特許請求の範囲】
【請求項１】
光反射の制御が可能な多数のマイクロミラーを有する第一ミラー素子を有し、該第一ミラー素子に反射させて照明光を被検眼の前眼部にその斜め前方から照射する照明光学系と、
光反射の制御が可能な多数のマイクロミラーを有する第二ミラー素子を有し、前眼部での反射光を該第二ミラー素子に反射させて撮影するための撮影光学系と、
上記両ミラー素子を制御するための制御装置とを備えており、
該制御装置が、第一ミラー素子において光を反射させるべく制御された照明反射部と、第二ミラー素子において光を反射させるべく制御された撮影反射部との相対位置関係を設定するように構成されてなる眼科用撮影装置。
【請求項２】
上記制御装置が、第一ミラー素子における上記照明反射部を移動するように制御し、さらに、第二ミラー素子における上記撮影反射部を第一ミラー素子の照明反射部の移動に同期して移動させるべく制御するように構成されてなる構成されてなる請求項１記載の眼科用撮影装置。
【請求項３】
上記撮影光学系が前眼部におけるその斜め前方への反射光を受光するものであって、上記第二ミラー素子の面が被検眼の撮像面と光学的にほぼ共役に配置されてなる請求項１記載の眼科用撮影装置。
【請求項４】
作動位置検出指標光を上記第一ミラー素子に反射させて被検眼の前眼部をその斜め前方から照射し、前眼部におけるその合焦反射光を斜め前方から受光して作動位置を検出する作動位置検出光学系をさらに備えており、
上記第一ミラー素子に作動位置検出指標光を反射する指標光反射部が設定されてなる請求項１記載の眼科用撮影装置。
【請求項５】
光透過の制御が可能な多数の画素を有する第一液晶素子を有し、該第一液晶素子に照明光を透過させて被検眼の前眼部にその斜め前方から照射する照明光学系と、
光透過の制御が可能な多数の画素を有する第二液晶素子を有し、前眼部での反射光を該第二液晶素子に透過させて撮影するための撮影光学系と、
上記両液晶素子を制御するための制御装置とを備えており、
該制御装置が、第一液晶素子において光を透過させるべく制御された照明透過部と、第二液晶素子において光を透過させるべく制御された撮影透過部との相対位置関係を設定するように構成されてなる眼科用撮影装置。
【請求項６】
上記制御装置が、第一液晶素子における上記照明透過部を移動するように制御し、さらに、第二液晶素子における上記撮影透過部を第一液晶素子の照明透過部の移動に同期して移動させるべく制御するように構成されてなる構成されてなる請求項５記載の眼科用撮影装置。
【請求項７】
作動位置検出指標光を上記第一液晶素子を透過させて被検眼の前眼部をその斜め前方から照射し、前眼部におけるその合焦反射光を斜め前方から受光して作動位置を検出する作動位置検出光学系をさらに備えており、
上記第一液晶素子に作動位置検出指標光を透過する指標光透過部が設定されてなる請求項５記載の眼科用撮影装置。
【発明の詳細な説明】
【０００１】
【発明の属する技術分野】
本発明は眼科用撮影装置に関する。さらに詳しくは、スペキュラー方式によって被検眼に接触させることなく角膜等の細胞を観察、撮影するための眼科用撮影装置に関する。スペキュラー方式の撮影装置とは、照明光を被検眼の光軸に対して斜めから照射し、その角膜における主に鏡面反射光を斜めから受光してこの像を観察、撮影するものである。
【０００２】
【従来の技術】
図１４には角膜Ｃの断面が模式的に示されている。符号Ｔは涙液層である。符号Ｕで示すのは上皮であり、符号Ｊで示すのは実質部であり、符号Ｉで示すのは内皮である。最近、視度矯正等のためにレーシック手術（ＬＡＳＩＫ、ｌａｓｅｒ  ｉｎｓｉｔｕ  ｋｅｒａｔｏｍｉｌｅｕｓｉｓ）が盛んに行われるようになっている。ＬＡＳＩＫ手術は、被検眼の角膜Ｃを実質部Ｊにおいて厚さ方向に二分し、露出した実質部にレーザ光線を照射し、角膜Ｃを薄くする。そして、二分していた角膜Ｃを元に戻して復元一体化を待つものである。この場合、手術後の角膜を観察して二分した角膜の復元状況を監視する必要があるが、角膜の実質部の二分されたあと復元しつつある部分Ｄの位置を予め特定することはできない。角膜の面方向および厚さ方向に探査したうえで監視しなければならない。
【０００３】
そのためには、角膜の厚さ方向に観察点を移動させながら各層の状態を示す像を鮮明に他層の像と分離して捉える装置が必要となる。とくに実質部は内皮細胞や上皮細胞のように細胞が層状に整列しておらず角膜厚さ方向に不揃いな形状となっているからである。
【０００４】
観察対象の像を他層の像と分離して鮮明に撮影するためにはきわめて幅狭のスリット照明光を用いる必要がある。しかし、幅狭のスリットを形成するのは困難であり、また、狭いスリットの幅でしか視野が得られない。そこで、スリット光を被検眼の前眼部に走らせて走査することができる角膜細胞撮影装置が提案された（たとえば、特許文献１、特許文献２および特許文献３参照）。これらの撮影装置は回転式のスリット板を備えている。このスリット板は、その回転中心から同一半径の円周上に複数個のスリットが形成されたものである。一のスリット（照明スリット）を通過したスリット照明光は、被検眼の前眼部で反射され、スリット板の回転中心を挟んで照明スリットに対して１８０゜方向に位置する他のスリット（撮影スリット）を透過して撮像カメラに至る。スリット板は回転するので照明スリットと撮影スリットとは同期して移動し、スリット光によって被検眼の角膜が走査されることになる。したがって、きわめて狭い範囲を照明するスリット光であっても広い範囲の角膜細胞を観察、撮影することができるというものである。
【０００５】
【特許文献１】
特開２００１−２４５８４６号公報
【特許文献２】
特開２００２−１７６７８号公報
【特許文献３】
特開２００２−１７６７９号公報
【０００６】
【発明が解決しようとする課題】
しかしながら、スリット板に狭いスリットを機械的に形成することは難しい。また、スリットの形状、走査方向などから、それぞれの光学系に使用できるスリット位置は限られる。さらに、照明光学系および撮影光学系などの配置により、照明スリットと撮影スリットとを共役位置の関係を保ちながら撮影視野全域を走査させる精度を実現するのが困難である。
【０００７】
本発明はかかる課題を解消するためになされたものであり、被検眼の内皮や上皮はもとより、実質層の各層に対しても他層からの反射光を容易且つ高精度に分離し、十分な照明光量によって鮮明な細胞像を得ることができる眼科用撮影装置を提供することを目的としている。
【０００８】
【課題を解決するための手段】
本発明の眼科用撮影装置は、
光反射の制御が可能な多数のマイクロミラーを有する第一ミラー素子を有し、この第一ミラー素子に反射させて照明光を被検眼の前眼部にその斜め前方から照射する照明光学系と、光反射の制御が可能な多数のマイクロミラーを有する第二ミラー素子を有し、前眼部での反射光をこの第二ミラー素子に反射させて撮影するための撮影光学系と、上記両ミラー素子を制御するための制御装置とを備えており、この制御装置が、第一ミラー素子において光を反射させるべく制御された照明反射部と、第二ミラー素子において光を反射させるべく制御された撮影反射部との相対位置関係を設定するように構成されている。
【０００９】
かかる構成により、第一ミラー素子に設定された照明反射部に反射させて所定形状（以下、点状や帯状などを含めてスリット状と呼ぶ）の照明光を被検眼に照射することができる。各マイクロミラー（微小ミラー）について光反射の制御が可能だからである。また、被検眼におけるこのスリット状の反射光が第二ミラー素子に至ると、その至った位置を基準として第二ミラー素子における反射部を設定することも容易である。したがって、従来のスリット板のようにスリットの形成、配置の困難性が回避される。その結果、被検眼の撮影すべき層について他層からの反射光を効果的に分離することができる。上記各ミラー素子としては、いわゆるＤＭＤ（デジタル・マイクロミラー・デバイス）が好適である。
【００１０】
上記制御装置が、第一ミラー素子における上記照明反射部を移動するように制御し、さらに、第二ミラー素子における上記撮影反射部を第一ミラー素子の照明反射部の移動に同期して移動させるべく制御するように構成されてなる構成されてなる眼科用撮影装置が好ましい。照明反射部と撮影反射部とを容易に同期して移動させることができるからである。その結果、被検眼の走査が容易になり、狭いスリット幅にもかかわらず、広い視野の細胞像を得ることができる。
【００１１】
また、上記撮影光学系が前眼部におけるその斜め前方への反射光を受光するものであって、上記第二ミラー素子の面が被検眼の撮像対象面と光学的にほぼ共役に配置されている眼科用撮影装置が好ましい。傾いた撮影面に対して、より広い範囲でピンとの合った鮮明な画像が得られるからである。
【００１２】
また、作動位置検出指標光を上記第一ミラー素子に反射させて被検眼の前眼部をその斜め前方から照射し、前眼部におけるその合焦反射光を斜め前方から受光して作動位置を検出する作動位置検出光学系をさらに備えており、上記第一ミラー素子に作動位置検出指標光を反射する指標光反射部が設定されてなる眼科用撮影装置が好ましい。作動位置検出光学系の構成が簡素化されるからである。また、設定する作動位置を容易に変更することもできる。
【００１３】
本発明の他の眼科用撮影装置は、
光透過の制御が可能な多数の画素を有する第一液晶素子を有し、この第一液晶素子に照明光を透過させて被検眼の前眼部にその斜め前方から照射する照明光学系と、光透過の制御が可能な多数の画素を有する第二液晶素子を有し、前眼部での反射光をこの第二液晶素子に透過させて撮影するための撮影光学系と、上記両液晶素子を制御するための制御装置とを備えており、この制御装置が、第一液晶素子において光を透過させるべく制御された照明透過部と、第二液晶素子において光を透過させるべく制御された撮影透過部との相対位置関係を設定するように構成されている。
【００１４】
かかる構成により、第一液晶素子に設定された照明透過部に照明光を透過させることにより、スリット状の照明光を被検眼に照射することができる。各画素について光透過の制御が可能だからである。また、被検眼におけるこのスリット状の反射光が第二液晶素子に至ると、その至った位置を基準として第二液晶素子における光透過部を設定することも容易である。したがって、従来のスリット板のようにスリットの形成、配置の困難性が回避される。その結果、被検眼の撮影すべき層について他層からの反射光を効果的に分離することができる。
【００１５】
上記制御装置が、第一液晶素子における上記照明透過部を移動するように制御し、さらに、第二液晶素子における上記撮影透過部を第一液晶素子の照明透過部の移動に同期して移動させるべく制御するように構成されてなる構成されてなる眼科用撮影装置が好ましい。被検眼の走査が容易になり、狭いスリット幅にもかかわらず、広い視野の細胞像を得ることができるからである。
【００１６】
また、作動位置検出指標光を上記第一液晶素子を透過させて被検眼の前眼部をその斜め前方から照射し、前眼部におけるその合焦反射光を斜め前方から受光して作動位置を検出する作動位置検出光学系をさらに備えており、上記第一液晶素子に作動位置検出指標光を透過する指標光透過部が設定されてなる眼科用撮影装置が好ましい。作動位置検出光学系の構成が簡素化され、また、設定作動位置も容易に変化させることができるからである。
【００１７】
【発明の実施の形態】
添付図面に示される実施形態に基づいて本発明の眼科用撮影装置を説明する。
【００１８】
図１は本発明の眼科用撮影装置の一実施形態を概略的に示す平面図であり、主にその光路を示している。図２は図１のＩＩ−ＩＩ線矢視図であり、主にその光路を示している。図３は図１のＩＩＩ−ＩＩＩ線矢視図であり、主にその光路を示している。図４は図１の装置の中央部の断面図であり、主にその光路を示す図である。
【００１９】
図１〜図４に示す眼科用撮影装置１は、機枠２と、この機枠２に搭載され、被検眼Ｅに向かって前進後退するＺ方向、並びにＺ方向に垂直で且つ互いに垂直なＸ方向およびＹ方向に移動しうるＸＹＺ移動架台３を備えている。さらに、ＸＹＺ移動架台３に搭載され、被検眼Ｅに対してＸＹＺの各方向に移動しうるＸＹＺ追随架台４を備えている。ＸＹＺ移動架台３およびＸＹＺ追随架台４にはそれぞれ以下の光学系が分担配置されている。
【００２０】
すなわち、眼科用撮影の観察撮影のために被検眼Ｅの前眼部をその斜め前方からスリット光によって照明するための照明光学系６と、被検眼Ｅの前眼部表面で反射した上記スリット光を撮影するための撮影光学系７と、被検眼Ｅに対する撮影光軸のＸＹ方向の位置合わせ（アライメント）を行うのための第一アライメント光学系８および第二アライメント光学系９と、撮影光学系７の合焦点を被撮影部位たる角膜内皮に一致させるためのＺ方向位置決め光学系（作動位置検出光学系）１０とが配置されている。
【００２１】
照明光学系６は角膜を照明する光源としての観察ランプ１１およびキセノン管１２を有している。観察ランプ１１は合焦点を角膜厚さ方向に移動させつつ眼科用撮影を連続して観察するときに使用するもので可視光を発光する。キセノン管１２は特定された部位の細胞を撮影するために使用され、可視光を発光する。いずれの光源１１、１２からの照明光もスリット光を形成するための照明反射部としてのスリット反射部３６ａが形成された第一ミラー素子３６でスリット状に反射され、このスリット光が照明レンズ５および照明用対物レンズ１４を透過して被検眼Ｅの角膜に収束させられる。第一ミラー素子３６は光反射の制御が可能な多数のマイクロミラーを有している。本実施形態では第一ミラー素子および後述の第二ミラー素子３７として公知のＤＭＤ素子（デジタル・マイクロミラー・デバイス）を用いている。照明光学系６の光路にその途中から後述の作動位置検出光学系１０の光路を同一にするため、光路途中にホットミラー１５が介装されている。このホットミラー１５は可視光である照明光は透過し、赤外光である後述の作動位置検出用の指標光を反射するものである。
【００２２】
撮影光学系７は眼科用撮影を観察撮影するためのＣＣＤカメラ１７を有している。被検眼Ｅの角膜で反射した上記スリット光は、撮影用対物レンズ１８、ミラー１９、撮影レンズ２０、ＤＭＤ素子からなる第二ミラー素子３７およびリレーレンズ１３を通り、ミラー３０で反射されたうえでＣＣＤカメラ１７に導かれる。スリット反射光は第二ミラー素子３７の位置で一旦結像し、第二ミラー素子３７における結像位置の撮影反射部としてのスリット反射部３７ａによってスリット状に反射され、リレーレンズ１３によってＣＣＤカメラ１７の受光面に結像させられる。本実施形態では撮影光学系７の光路がその途中まで後述の作動位置検出光学系１０の光路と同一にされている。この目的で光路を分岐するためのホットミラー２１が介装されている。このホットミラー２１は可視光である照明光を透過し、赤外光である作動位置検出用の指標光を反射するものである。
【００２３】
ここで、第一および第二のミラー素子３６、３７を説明する。ミラー素子であるＤＭＤの表面には所定の区画内に多数個の微小ミラーがマトリックス状に配置されている。各微小ミラーは独立してその面を傾斜させるようにデジタル制御が可能である。本実施形態では、各微小ミラーがＤＭＤの面の法線に対して同一方向に±１２゜傾斜させられる。もちろん、他の角度に傾斜させるものを用いてもよい。
【００２４】
図５にはかかるミラー素子３６、３７への入射光の方向と反射光の方向との関係が示されている。本実施形態では、素子表面の法線Ｎに対して２４゜の入射角で入射し、微小ミラーの±１２゜の傾斜（オン−オフという）により、法線Ｎ方向に反射する場合（オンという）と法線Ｎに対して４８゜の方向に反射する場合（オフという）とが設定されている。また、このようにオン・オフさせる微小ミラーおよびその範囲を制御装置４２によって任意に設定することができる。すなわち、オン・オフする範囲の外形（スリット形状）を任意に変化させることが可能である。たとえば幅狭の長方形状の範囲（いわば帯状の範囲）の微小ミラー、微小円内の微小ミラー、環状の範囲内等の微小ミラーをオン・オフさせることが可能である。また、これらの範囲の外形を維持したままオン・オフの範囲を移動させることも制御装置４２によって可能となる。すなわち、スリット（スリット反射部）の移動である。
【００２５】
図２、図３および図５を参照してこの装置１内でのミラー素子３６、３７の機能を説明する。照明光学系６および撮影光学系７において、ミラー素子３６、３７で反射された光は、いずれの光学系６、７においてもミラー素子がオンの時には各光学系の光軸６ａ、７ａに沿って進む。また、ミラー素子がオフの時には反射光は光軸６ａ、７ａから外れて反射光の方向に配置された光吸収体３１によって反射光が吸収される。
【００２６】
本装置１では、各ミラー素子３６、３７に光学的なスリットが形成される。すなわち、スリット形状の範囲の微小ミラーがオンにされ（前述したスリット反射部３６ａ，３７ａ）、その他の範囲の微小ミラーがオフにされる。したがって、ミラー素子に入射した光はスリット光として反射される。このように、各ミラー素子は従来技術におけるスリットに相当し、両ミラー素子の組み合わせが従来技術におけるスリット板に相当する。しかしながら、ミラー素子は従来のスリットやスリット板に比較してはるかに優れた機能を備える。第一および第二のミラー素子３６、３７の移動の同期が容易且つ高精度になされるうえ、スリットの形状を任意に変化させることができるからである。
【００２７】
本装置１では、第一ミラー素子３６によってスリット状とされた照明光が被検眼で反射されて第二ミラー素子３７に至って結像する。第二ミラー素子３７では、入射したスリット光の結像位置にほぼ一致して、このスリット光とほぼ同形状のスリット反射部３７ａが形成される。もちろん後述するように異なる形状でもよい。その範囲の微小ミラーがオンにされる。したがって、第二ミラー素子３７で散乱光の侵入が抑制されて上記スリット照明光がスリット状に反射される。このスリット光が上記ＣＣＤカメラ１７によって受光され、被検部の像が撮影される。
【００２８】
図６に示すように、上記スリット照明光によって被検眼を走査することも容易である。図６にはミラー素子３６、３７におけるスリット反射部３６ａ、３７ａの移動が示されている。図中の二点鎖線は微小ミラーの駆動範囲を示している。図６（ｂ）が第一スリット反射部（照明光反射部）３６ａであり、図６（ａ）が対応する第二スリット反射部（撮影光反射部）３７ａである。図中の矢印は走査方向を示し、小円は照明光軸６ａおよび撮影光軸７ａの中心を示し、天地は被検眼上の方向に対応している。第一ミラー素子３６のスリット反射部３６ａをそのスリット形状を保ったまま移動させる（図６（ｂ））。そうすることにより、スリット照明光が被検眼表面を移動し、被検眼による移動する反射光を第二ミラー素子３７が捉える。第二ミラー素子３７では、その面上において入射したスリット光の結像位置にほぼ一致して、このスリット光とほぼ同形状のスリット反射部３７ａがスリット光の移動に同期して移動させられる（図６（ａ））。かかる動作は上記制御装置４２によってミラー素子のドライブ機構を制御することによってなされる。
【００２９】
かかる構成により、スリット光によって被検眼Ｅの角膜等を各層での反射光を分離して撮影すること、および、走査することが可能となる。このことは、図７にも示される。図７（ａ）に示すように、一本の細いスリット照明光Ｌ１によって被検眼Ｅの角膜の異なる層Ｓ１、Ｓ２からの反射光Ｒ１、Ｒ２が効果的に分離される。また、図７（ｂ）および図６（ａ）に示すように、細いスリット照明光をＬ１、Ｌ２、Ｌ３と走査することにより、一の層Ｓの広い範囲における反射光Ｒ１、Ｒ２、Ｒ３が連続して受光され、Ｋ１、Ｋ２、Ｋ３へと連続して撮影される（図６（ｂ）を併せて参照）。したがって、きわめて狭い範囲を照明するスリット光であっても走査によって広い範囲の角膜細胞等を観察、撮影することができる。きわめて短時間に上記走査を繰り返すことも可能なので、角膜細胞等を動画として観察することも可能である。走査方向は一方向のみでもよく、また、所定ストロークで往復走査することも可能である。角膜表面の薄い表層（約１０ミクロン以下）の表面における反射光と、角膜上皮における反射光を完全に分離し得るほどに狭い幅のスリット照明光を用いることが可能となる。たとえば、第一ミラー素子３６上のスリット反射部を０．０５〜０．２ミリメートル程度の幅に形成しておき、このスリット反射部によって反射されたスリット光をレンズ系によって角膜上で約１０ミクロンの幅のスリット照明光となるように縮小することができる。この反射光をまた撮影光学系７のレンズ系によって拡大するのである。
【００３０】
被検眼で反射されて第二ミラー素子３７に結像したスリット光の結像位置にほぼ一致してこのスリット光とほぼ同形状のスリット反射部３７ａを形成するための調整については後述する。
【００３１】
図１を参照しつつ、本装置１における照明光学系６から撮影光学系７に至る像の向きを説明する。図１（ａ）および図１（ｂ）には、照明光源１１、１２からの照明光を第一ミラー素子３６においてスリット化したときのスリット像の上下の向きを示す矢印と左右の向きを示すまち針形とが併記されている。図１（ｂ）はミラー素子３６、３７における像の向きをミラー素子の背面側から見た状態で示したものである。第一ミラー素子３６と第二ミラー素子３７とでは入射する像の上下および左右の向きがそれぞれ反対となる。図１（ｃ）はミラー素子３６、３７におけるスリット反射部３６ａ、３７ａの移動（走査）をミラー素子の背面側から見た状態で示したものである。図中の二点鎖線は微小ミラーの駆動範囲を示している。図１（ｄ）は第一ミラー素子３６のスリット反射部３６ａが図１（ｃ）に示す方向に移動するときの被検眼の前眼部におけるスリット照明光の移動方向を示すものである。図１（ｄ）において、スリット照明光は角膜表面と角膜内皮とで反射している状態が示されている。反射光は角膜表面におけるものが強い。
【００３２】
照明光は被検眼Ｅの表面に対して斜めに入射し、斜めに反射される。そして、斜めに反射された光を、撮影光学系のＣＣＤカメラ１７では撮影光軸７ａに垂直な面で受光する。したがって、スリット照明光を走査させるとき、視野範囲（図７（ｂ）中の符号Ｈ）における走査方向の周辺部（両端部）はピントがぼけることになる。かかる問題を解消するために、第二ミラー素子３７がその法線が撮影光軸７ａに対して傾斜した状態で設置されている。すなわち、反射光の被検眼Ｅの表面に対する傾斜を相殺する方向に第二ミラー素子３７の面が傾斜するように、すなわち、撮影レンズ２０の結像面に対して第二ミラー素子３７の面が傾斜するようにされている（図３参照）。本実施形態では前述したように、撮影光軸７ａに対して第一ミラー素子の法線が２４゜傾斜するようにしている。
【００３３】
つぎに、第一アライメント光学系８は、アライメント用対物レンズ２２、発光ダイオードからなる二個のアライメント指標光の光源２３Ｘ、２３Ｙおよびエリアセンサ等の受光素子２４を有している。上記光源２３Ｘ、２３Ｙが第一投影手段であり、アライメント用対物レンズ２２、後述の拡散レンズ２５ａおよび結像レンズ２５ｂ、ならびに、受光素子２４が第一検出手段である。上記アライメント用対物レンズ２２の光軸上に照明光学系６の光軸６ａと撮影光学系７の光軸７ａとの交点が位置している。この交点が後述する合焦点である。
【００３４】
図８は被検眼Ｅから見た対物レンズ１４、１８、２２近傍の配置を示している。アライメント用対物レンズ２２の周囲に、Ｘ軸用光源２３ＸとＹ軸用光源２３Ｙとが相互に９０゜方向に配置されている。各光源２３Ｘ、２３Ｙからは被検眼Ｅに向けて赤外の指標光が交互に発光される。各光源２３Ｘ、２３Ｙからの指標光は被検眼で反射し、アライメント用対物レンズ２２、拡散レンズ２５ａおよび結像レンズ２５ｂを透過して受光素子２４に結像する。受光素子２４からの画像信号は後述の制御装置４２に送られる。
【００３５】
図９を参照しつつ第一アライメント光学系８を用いたアライメント動作を説明する。第一アライメント光学系８を用いてＸＹＺ架台３を移動させて行うアライメントを第一アライメントという。図９（ａ）に二点鎖線で示すのはモニタ画面２６に表示された前眼部像であり、第一アライメントが確立した状態、すなわち、アライメント用対物レンズ２２の光軸が被検眼Ｅの頂点に一致した状態を示している。このとき、両光源２３Ｘ、２３Ｙともに点灯させれば前眼部にはその中心を被検眼の頂点とした場合、この頂点を中心として９０゜方向にＸ軸用光源の像２３ＸａとＹ軸用光源の像２３Ｙａとが映し出されるので、この状態での各像２３Ｘａ、２３Ｙａの範囲をアライメント完了範囲（以下、ゲートという）２７Ｘ、２７Ｙとして設定する。そして、アライメントが確立していない状態では、図９（ｂ）に示すようにＸ軸用光源の像２３Ｘａがゲート２７Ｘから外れており、図９（ｃ）に示すようにＹ軸用光源の像２３Ｙａがゲート２７Ｙから外れている。このときにはＸ方向のゲート２７Ｘに入るようにＸＹＺ移動架台３がＸ方向に移動させられ、Ｙ方向のゲート２７Ｙに入るようにＸＹＺ移動架台３がＹ方向に移動させられる。アライメント動作中は識別を容易にするために、短時間ピッチで交互にゲート２７Ｘ、２７Ｙを設定するのと同期してＸ軸用光源２３ＸとＹ軸用光源２３Ｙとを交互に発光する。両像２３Ｘａ、２３Ｙａともにそのゲート２７Ｘ、２７Ｙに入ったときに第一アライメントが完了する。
【００３６】
つぎに図１および図２を参照しつつ作動位置検出光学系１０を説明する。作動位置検出光学系１０は被検眼に対して斜めから赤外光である作動位置検出用の指標光を照射する検出光照射光学系１０ａと、被検眼に対して斜めから上記指標光の反射光を検出する検出光検出光学系１０ｂとを有している。検出光照射光学系１０ａは作動位置検出のための指標光源としての赤外線ランプ２８を備えている。検出用指標光は後述するように第一ミラー素子３６によって形成される。検出光検出光学系１０ｂは作動位置検出センサ２９を備えている。検出光照射光学系１０ａは照明光学系６と光軸がほとんど同一であり、上記ホットミラー１５によって分岐した光軸上に検出用ランプ２８が配置されている。検出光検出光学系１０ｂは撮影光学系７と光軸がほとんど同一であり、上記ホットミラー２１によって分岐した光軸上に作動位置検出センサ２９が配置されている。作動位置検出センサ２９としてはラインセンサやエリアセンサが用いられる。
【００３７】
検出用ランプ２８からの指標光は第一ミラー素子３６によって反射され、照明光学系６の光軸６ａを通って被検眼Ｅに至り、前眼部で反射する。この反射光は撮影光学系７の光軸７ａを通り、ホットミラー２１で反射されて作動位置検出センサ２９に至り、受光される。第一ミラー素子３６には、観察撮影用の上記スリット反射部３６ａとは別に、移動しない作動位置検出用反射部（指標光反射部）３２が形成されている（図１０（ｈ１）参照）。この指標光反射部３２としても微小ミラーの一範囲を利用すればよい。後述するように被検眼の微動に追随してこの被検眼を観察するときなどには、作動位置検出動作と観察撮影動作とが並行して行われる。したがって、第一ミラー素子３６における指標光反射部３２以外からの反射光も作動位置検出センサ２９に受光される可能性がある。これを防ぐために、作動位置検出センサ２９の前に、指標光反射部３２以外からの反射光を遮光するためのマスク３９を設置する。これにより、たとえ第一ミラー素子３６における他の範囲の微小ミラーをオンにしているときでも、指標光反射部３２から被検眼に至って反射した指標光のみが作動位置検出センサ２９に至る。
【００３８】
なお、図１０にはミラー素子３６、３７におけるスリット反射部３６ａ、３７ａのパターンを例示している。各図の下段が第一スリット反射部（照明反射部）３６ａであり、上段が対応する第二スリット反射部（撮影反射部）３７ａである。図中の二点鎖線は微小ミラーの駆動範囲を示している。また、縦横の中心線の交点が光軸６ａ、７ａに対応している。
【００３９】
作動位置検出センサ２９の受光範囲に設定された所定域において指標光が受光されたときに制御装置４２が作動位置に至ったと判断し、撮影がなされる。これが作動位置であり、合焦の基準位置である。
【００４０】
上記を図１１も併せ参照しつつより詳細に説明する。図１１では、第一ミラー素子３６の所定位置（図１０（ｈ１）に示す位置）に指標光反射部３２が形成されているときの指標光の光路およびこの指標光の被検眼の角膜表面での反射光の光路を符号Ｌ２、Ｒとして示している。検出光照射光学系１０ａの光軸と検出光検出光学系１０ｂの光軸との交点が作動位置Ｋ２（図１１）である。光学系が作動位置に至ったときに、照明光学系６の光軸６ａと撮影光学系７の光軸７ａとの交点（合焦点）が被検眼Ｅの角膜の厚さ方向のある部位（撮影部位）にあれば、この部位の細胞が撮影されることになる。図１１中では符号Ｃで示されている。符号Ｌ２から符号Ｃへ至るのが照明光であり、符号Ｃから符号７ａに向かうのがこの照明光の撮影部位における反射光であり、ＣＣＤカメラに至る光である。作動位置検出センサ２９によって明確に検出しうる反射光は角膜表面での反射光であることから、角膜表面での反射光を検出したときの位置を作動位置としている。制御装置４２はこの作動位置を維持すべく、すなわち、上記反射スリット光が作動位置検出センサ２９の上記所定域に至るように、被検眼Ｅの変位に応じてフィードバック制御によりＸＹＺ移動架台３をＺ軸方向に移動させる。これが第一のＺ方向位置決め動作である。
【００４１】
図１１に示すごとく、照明光学系６の光軸６ａと撮影光学系７の光軸７ａとの交点（撮影部位）Ｃは、検出光照射光学系１０ａの光軸と検出光検出光学系１０ｂの光軸との交点（作動位置）Ｋ２とは異なる位置に設定されている。これは、前述したように、作動位置は角膜表面での反射光によって明確に検出されるが、撮影部位は通常は表面ではなく角膜内部の層であるからである。しかし、これらＣ、Ｋ２を一致させることも容易である。
【００４２】
第一アライメント動作と第一Ｚ方向位置決め動作とは以下のように進行する。まず、被検者が装置１の顎台４３および額当て４４に顔を当接させることにより顔を固定する。ついで被検者に図示しない固視灯を固視させることによって被検眼Ｅを固定する。ついでＸＹＺ移動架台３を被検眼に接近させることによって第一アライメント指標光の像２３Ｘａ、２３Ｙａをモニタ画面２６上に確認する。その後、アライメントを維持しつつＸＹＺ移動架台３を被検眼に接近させて第一Ｚ方向位置決めを行う。第一アライメントおよび第一Ｚ方向位置決めがなされたあと、第二アライメント動作および第二Ｚ方向位置決め動作に切り替えられる。第二アライメント動作および第二Ｚ方向位置決め動作は後述するとおり、フィードバック制御によって被検眼Ｅの変位に応じてＸＹＺ追随架台４を移動させるものである。
【００４３】
本装置１では合焦点を角膜の厚さ方向に移動させることによって角膜の各層を観察することができるように構成されている。具体的には、作動位置検出センサ２９が検出するべき検出用指標光の被検眼における反射点と合焦点とを、対物レンズの軸方向に相対的に変位させていく。作動位置検出センサ２９によって明確に検出しうる反射光は角膜表面での反射光であることから、この時点（作動位置に至った時点）で撮影することとし、この作動位置を合焦点から離間させたり接近させたりするのである。これは前述のごとく合焦点を角膜の厚さ方向に変位させることを意味する。
【００４４】
作動位置を相対移動させるためには、第一ミラー素子３６の指標光反射部３２を検出光照射光学系１０ａの光軸に垂直な横方向に移動させる。このことを、図１１および図１０を参照しながら説明する。たとえば、図１０（ｈ１）から図１０（ｈ２）または図１０（ｈ３）へ移動させる。移動距離は制御装置４２によって位置情報として記憶される。指標光反射部３２を図１０（ｈ２）の位置に設定し直すと、図１１において指標光はＬ１から被検眼に照射されることになり、作動位置検出センサ２９によって検出され得る作動位置は図中の符号Ｋ１となる。逆に、指標光反射部３２を図１０（ｈ３）の位置に設定し直すと、図１１において指標光はＬ３から被検眼に照射されることになり、作動位置検出センサ２９によって検出され得る作動位置は図中の符号Ｋ３となる。このように指標光反射部３２を上記光軸１０ａに対して横方向に移動させることにより、検出され得る作動位置は前後に移動する。これに対応するようにＸＹＺ移動架台３をＺ方向に移動させて作動位置をＺ軸方向に移動させる。すなわち、指標光反射部３２を横方向に移動させることによって作動位置検出のための反射光が作動位置検出センサ２９の設定域から外れるので、フィードバック制御によって作動位置検出センサ２９が上記反射光を検出するようにＸＹＺ移動架台３がＺ方向に移動させられるのである。その結果、撮影光学系７の焦点（合焦点）がＺ軸方向に移動する。このようにして角膜の厚さ方向の各層に焦点が一致していく。かかる作動によって角膜の厚さ方向の各層を観察することができる。
【００４５】
以上説明した第一アライメント光学系８および作動位置検出光学系１０はともにそれらの光学機器類がＸＹＺ移動架台３とＸＹＺ追随架台４とに分かれて搭載されている。このため、ＸＹＺ追随架台４の移動によって結像作用に影響が及ばないように、ＸＹＺ移動架台３上の光学機器類とＸＹＺ追随架台４上の光学機器類とがアフォーカルな光路を形成するように構成されている。具体的には図１に示すごとく、照明光学系６では照明レンズ５によって照明光が平行光束とされ、撮影光学系７では角膜反射光が撮影用対物レンズ１８によって平行光束とされ、第一アライメント光学系８ではアライメント指標光の被検眼での反射光は拡散レンズ２５ａによって平行光束とされる。なお、後述する第二アライメント光学系９の光学機器はＸＹＺ追随架台４に搭載されているため、アフォーカル光路を形成する必要はない。
【００４６】
次に第二アライメント光学系９を説明する。第二アライメント光学系９は、上記アライメント用対物レンズ２２を含み、赤外光を発光する発光ダイオードからなる第二アライメント指標光源３３およびエリアセンサ等の受光素子３４を有している。このように、第二アライメント光学系９と第一アライメント光学系８とは同一のアライメント用対物レンズ２２を共用している。第二アライメント指標光源３３およびアライメント用対物レンズ２２が第二投影手段であり、アライメント用対物レンズ２２、結像レンズ３５および受光素子３４が第二検出手段である。
【００４７】
図１２に示すように第二アライメント指標光源３３からの指標光Ｂｆはアライメント用対物レンズ２２により、作動位置にあるときの被検眼Ｅの表面から所定寸法だけ前方におけるアライメント用対物レンズ２２の光軸上に結像する角度で収束させられる。被検眼表面での反射光Ｂｒはアライメント用対物レンズ２２および結像レンズ３５を透過して受光素子３４に受光される。上記所定寸法とは角膜表面の曲率半径ｒの約１／２であり、それによって被検眼表面での反射光Ｂｒは平行光となる。一般的な人眼の角膜表面の曲率半径ｒは約８ｍｍである。実際のアライメント用対物レンズ２２の設定は、撮影光学系７の焦点、すなわち照明光学系６の光軸６ａと撮影光学系７の光軸７ａとの交点から約０．５ｒだけ前方に指標光が結像するようになされる。
【００４８】
図１２（ａ）はアライメント用対物レンズ２２の光軸が被検眼頂点に直交した状態、すなわちＸＹアライメントが確立されている状態を示しており、反射光Ｂｒはアライメント用対物レンズ２２の光軸に沿って戻っている。図８（ｂ）はアライメント用対物レンズ２２の光軸が被検眼頂点から外れた状態、すなわちＸＹアライメントが確立されていない状態を示しており、反射光Ｂｒはアライメント用対物レンズ２２の光軸に対して傾斜している。一例として、被検眼頂点がアライメント用対物レンズ２２の光軸から０．０１ｍｍ外れると反射光Ｂｒの光軸はアライメント用対物レンズ２２の光軸に対して約０．１５゜傾斜する。また、０．６ｍｍ外れた場合は約９゜傾斜する。アライメント用対物レンズ２２の光軸からのずれが小さいときには、このずれと反射光の傾斜角とはほぼ比例する。このように被検眼がわずかに変位した場合でもこれが拡大されて受光素子３４に検出される。
【００４９】
被検眼表面での反射光Ｂｒを受光した受光素子３４からは画像信号が制御装置４２に送られる。制御装置４２では、上記アライメント指標光Ｂｆの被検眼Ｅの角膜における反射光Ｂｒたる輝点に基づいてＸＹＺ追随架台４をＸＹ方向に移動させることによってアライメント用対物レンズ２２の光軸を角膜頂点に一致させる。
【００５０】
図１３を参照しつつ具体的なアライメント動作を説明する。図１３に示すモニタ画面２６においてその中心Ｏがアライメント用対物レンズの光軸に対応させられている。したがって、図１２（ａ）からも明らかなように、第二アライメントが確立している状態では輝点Ｆが中心Ｏに位置する。第二アライメントが確立されていない状態では二点鎖線で示すごとく輝点Ｆが画面中心Ｏから外れている。これを制御装置４２のフィードバック制御によって輝点Ｆが中心Ｏに移動するようにＸＹＺ追随架台４をＸＹ方向に移動させるのである。
【００５１】
制御装置４２においては、輝点Ｆを中心Ｏに向けて移動させる速度（ＸＹＺ追随架台４の速度）が中心Ｏと輝点Ｆとの離間距離に比例するようにされている。すなわち、ＸＹＺ追随架台４を移動させるときにアライメント用対物レンズ２２の光軸が角膜頂点に近づくに従ってその接近速度が低下するのである。こうすることにより、ＸＹＺ追随架台の目的位置に対するオーバーランや移動のハンチング等が防止され、制御の精度が向上する。
【００５２】
この第二アライメント動作の最中にも第二Ｚ方向位置決め動作が平行して実行される。第二Ｚ方向位置決めも前述の作動位置検出光学系１０を用いて行うが、移動させるのはＸＹＺ移動架台３ではなくてＸＹＺ追随架台４である。すなわち、制御装置４２は上記反射スリット光が作動位置検出センサ２９の上記所定域に至るように、被検眼Ｅの変位に応じてフィードバック制御によりＸＹＺ追随架台４をＺ軸方向に移動させる。ＸＹＺ移動架台３に代えてＸＹＺ追随架台４を移動させる点が第一アライメントと異なる点であり、その他の動作は同一であるため、説明を省略する。なお、前述のとおりアフォーカル光路が形成されているので、ＸＹＺ移動架台３に対してＸＹＺ追随架台４を相対移動させても光学系の作用に影響はない。
【００５３】
本装置１では、まず第一アライメント動作および第一Ｚ方向位置決め動作を行い、これが完了した時点で制御装置４２によって第二アライメント動作および第二Ｚ方向位置決め動作に切り替えられる。第二の動作に切り替えられると、被検眼が固視微動をしていても容易にこれに追随することができる。一方、第一アライメントにおける検出可能な被検眼の変位の範囲は大きく、第二アライメントにおける検出可能な被検眼の変位の範囲は小さい。たとえば、前者は直径１０〜１５ｍｍの範囲であり、後者は約２ｍｍの範囲である。したがって、第二アライメント動作中に被検眼が大きく変位するとこれを検出できなくなる。この場合、すなわち前述の第二アライメント動作中の反射光による輝点Ｆがゲートから消えた場合、制御装置４２が第一アライメント動作に切り替えるようにされている。そして、第一アライメントが確立した時点で再び第一から第二へアライメント動作が切り替えられる。
【００５４】
第二アライメントが確立し、作動位置が検出されると、検査者は観察ボタンを操作して連続観察用ランプ１１を点灯し、合焦操作を行う。合焦操作はフォーカスボタンの操作によって前述の第一ミラー素子３６の指標光反射部３２を移動さることによって行う。すなわち、撮影光学系７の合焦点に対して作動位置をＺ方向に相対的に移動させることによって撮影光学系７の合焦点を角膜の厚さ方向に移動させる。この間、第二アライメントが維持されている。これにより眼科用撮影像がモニタ画面に表示され、検査者は被検眼の角膜の厚さ方向の各層の細胞像を観察することができる。検査者は所望の位置、つまり選択した角膜部位で撮影ボタンを操作することによってキセノン管１２を発光してその部位の眼科用撮影を撮影することができる。選択された画像が静止画として記録される。
【００５５】
以下に、第一ミラー素子３６におけるスリット反射部３６ａと第二ミラー素子３７におけるスリット反射部３７ａとを一致させる初期設定を以下に説明する。まず、被検眼Ｅの位置に検出用のエリアセンサ等の受光素子（図示しない）を配置する。ついで、照明光源たる連続観察ランプ１１を点灯する。そうすると、照明光学系６において第一ミラー素子３６に固定設定された点状のスリット反射部３６ａ（図１０（ｂ）参照）によってスリット光が受光素子に照射され、これが受光素子によって受光される。一方、撮影光学系７のＣＣＤカメラ１７の位置に初期設定用の光源を配置し、これを点灯する。そうすると、撮影光学系７において第二ミラー素子３７に設定された点状のスリット反射部３７ａ（図１０（ｂ）参照）によってスリット光が受光素子に照射され、これが受光素子によって受光される。このように受光素子には二つのスリット光が照射される。あとは、制御装置４２により、第二ミラー素子３７のスリット反射部３７ａの形状を変化させ且つこれを移動させることにより、受光素子面におけるスリット光の形状および位置を変化させる。こうすることにより、第一ミラー素子３６および第二ミラー素子３７によるスリット光の位置を一致させる。この位置が制御装置４２に記憶される。これにより、両ミラー素子のスリット反射部３６ａ、３７ａの位置が光学的に一致し、初期設定が完了する。もちろん、このときに第一ミラー素子３６におけるスリット反射部３６ａの位置と、第二ミラー素子３７におけるスリット反射部３７ａの位置とが異なっていても問題はない。具体的には、第一ミラー素子３６のスリット反射部３６ａの位置が第一ミラー素子３６の中央にあるのに対して、第二ミラー素子３７のスリット反射部３７ａの位置が第二ミラー素子３７の中央から外れている場合である（図１０（ａ）参照）。この場合でも両スリット反射部は制御装置４２によって同期して走査可能である。
【００５６】
図７（ｂ）を参照しながらフォーカシングを説明する。上記したように、両ミラー素子３６、３７のスリット反射部３６ａ、３７ａを光学的に一致させているとき、すなわち、両スリット反射部３６ａ、３７ａが光軸中心上に位置するとき、たとえば、スリット照明光Ｌ２（第一ミラー素子３６のスリット反射部の位置する光軸）に対して第二ミラー素子３７のスリット反射部３７ａの位置する光軸Ｒ２が一致している。また、スリット照明光Ｌ１（第一ミラー素子３６のスリット反射部３６ａの位置する光軸）に対して第二ミラー素子３７のスリット反射部の位置する光軸Ｒ１が一致し、スリット照明光Ｌ３（第一ミラー素子３６のスリット反射部３６ａの位置する光軸）に対して第二ミラー素子３７のスリット反射部３７ａの位置する光軸Ｒ３が一致している。以上については図１０（ｇ１）を参照すればよい。したがって、Ｌ１とＲ１との交差部位Ｋ１、Ｌ２とＲ２との交差部位Ｋ２、および、Ｌ３とＲ３との交差部位Ｋ３がそれぞれ撮影部位となる。そして、この状態で、すなわち両ミラー素子３６、３７のスリット反射部３６ａ、３７ａを一致させながら同期してスリット照明光を走査すると、撮影部位はＫ１からＫ２を経てＫ３に至り、図中の視野範囲Ｈの像が撮影される。
【００５７】
しかしながら、予め両ミラー素子のスリット反射部３６ａ、３７ａの位置を一致させずに相互にずらしておいてもよい（図１０（ｇ２）および図１０（ｇ３）参照）。たとえば、図７（ｂ）中におけるＬ３とＲ１とが対応するように両ミラー素子のスリット反射部３６ａ、３７ａが設定されているとする（図１０（ｇ３）参照）。この場合、Ｌ３とＲ１との交差部位Ｋ４が撮影されることになる。スリット照明光を走査する場合には、上記Ｋ４が位置する深さの層Ｓ４について、図中の視野範囲Ｈの像が撮影される。また、図７（ｂ）中におけるＬ１とＲ３とが対応するように両ミラー素子のスリット反射部３６ａ、３７ａが設定されているとする（図１０（ｇ２）参照）。この場合、Ｌ１とＲ３との交差部位（図示しない）が撮影されることになる。このように、両ミラー素子のスリット反射部の位置を一致させずに相互にずらしておくこと（スリット照明光の走査位相を変化させること）により、被検眼における撮影部位の深さを変化させることができる。かかる構成および制御装置４２による制御により、光学系自体を移動させる必要なく、ミラー素子上のスリット反射部の位相変化のみによって撮影部位の深さを変化させるので、応答性がよい。したがって、前述した追随式での連続観察時に、被検眼の微動に対応することができる。
【００５８】
また、前述のごとく両スリット反射部を一致させた後でも、制御装置４２によって所定距離および所定方向に変更することが可能である。
【００５９】
前述したごとく、ミラー素子３６、３７は制御装置４２によってスリット反射部の形状を自在に変更することができる。これは走査の最中にも変更することができる。以下、スリット形状の変更例についての例を説明する。
【００６０】
被検眼の角膜表面は球面状を呈しているため、周辺部では照明光の反射方向が撮影用対物レンズ１８から外れるので暗くなる。そのため、図１０（ｃ）に示すごとく、スリット形状をその両端にいくに従って幅広くし、両端ほど照明光量が増加するようにしている。または、スリット形状は幅狭の長方形にしておき、スリットの中央部と両端近傍とで微小ミラーの点滅速度を変化させる、つまり点灯時間と消灯時間との割合を変化させることによって照明のデューティーを変えてもよい。
【００６１】
また、図示していないが、被検眼の涙液層、ムチン層、角膜上皮、実質層、角膜内皮それぞれの明るさが異なる。つまり照明光に対する反射能が異なる。したがって、観察対象部位の相違に応じてスリット幅を変えることによって照明光量を変化させることができる。または、上記のように微小ミラーの点滅速度を変化させることによって照明のデューティーを変えてもよい。
【００６２】
被検眼の角膜各層にはそれぞれその観察に適した被写界深度がある。内皮や実質層は深度が深い方がよい。一方、上皮やムチン層は深度を浅くして反射光の分離をよくする方がよい。各層の観察時には、まず基準として内皮層に合わせるのが操作しやすい。このときにはスリット幅を広くして観察部位を探しやすくしておき、観察部位を特定した後はスリット幅を狭くして分解能を向上させれば観察しやすい。
【００６３】
スリット照明の幅を狭くして光の分離を良くすると、被検眼のわずかの変位によって向きが変化した反射光を、第二ミラー素子３７のスリット反射部３７ａが捉えることができないことがある。この場合、図１０（ｄ）に示すように、第一ミラー素子３６のスリット幅を第二ミラー素子３７のスリット幅より広くしておくことにより、被検眼が前後左右に微動したとしても観察光量の変化を抑制することができる。
【００６４】
たとえば、角膜上皮基底細胞を観察する際には涙液層による強い散乱光が外乱となることがある。また、被検眼の神経繊維は鏡面反射光によっては観察しにくい。このような場合、被検眼の観察部位において照明光路と撮影光路とが交わらないように、両ミラー素子３６、３７のスリット反射部を図１０（ｅ）および図１０（ｆ）に示すように、その位相がずれるように設定することにより周囲からの散乱光によって観察するのが好ましい。図１０（ｅ）に示すのは、両スリット反射部３６ａ、３７ａの中心は一致しているが、撮影側３７ａが小円状スリットであり、照明側３６ａはこの小円状スリット３７ａと一致しない外方に対応する円輪状スリットである。図１０（ｆ）に示すのは、両スリット反射部３６ａ、３７ａの中心は一致しているが、撮影側３７ａが幅狭の帯状スリットであり、照明側３６ａはこの帯状スリット３７ａと一致せずにその左右両側の平行な位置に対応する二本の帯状スリットである。
【００６５】
また、図１０（ｂ）や図１０（ｅ）の撮影側スリット反射部３７ａとして示したような小円状のスリット反射部を構成し、この小円状（または点状）スリットを縦横に走査することも可能である。場合によっては単一の微小ミラーを縦横に走査するようにしてもよい。いわばテレビジョンの画面表示のように走査することが可能である。かかる構成により、小円状または点状のスリットを中心としたいずれの方向にも光の分離が可能となる。すなわち、細長いスリット照明光の場合、その幅方向には光の分離が可能であってもスリットの長手方向については幅方向ほどには分離することができない。小円状または点状のスリットの場合はかかる問題はない。
【００６６】
以上説明した実施形態では、照明光学系および撮影光学系のスリット部材としてＤＭＤ素子を用いたが、本発明ではかかる構成に限定されない。ＤＭＤ素子に代えて、たとえば液晶素子を用いてもよい。多数の液晶セル（画素）を有する公知の液晶素子も、ＤＭＤ素子と同様に好適な制御装置によるデジタル制御によって各画素が光を透過（オンという）および遮蔽（オフという）するように駆動することができる。したがって、前述した第一および第二のミラー素子に代えてこの第一液晶素子および第二液晶素子を用い、液晶素子における所定範囲の画素をオンにすることにより、スリット状の光を透過させうる所定形状のスリット透過部（照明光透過部および撮影光透過部）を形成することができる。さらに、このオンにされる画素の形状を変化させることも移動させることも可能である点で、ＤＭＤ素子と機能は同等である。
【００６７】
さらに、第一液晶素子には、上記第一ミラー素子３６と同様に、指標光透過部を設定することも容易である。かかる指標光透過部を透過した作動位置検出指標光を被検眼の前眼部に照射し、前眼部におけるその反射光を前述の作動位置検出センサ２９で検出させることにより作動位置を検出することができる。また、第一ミラー素子３６の指標光反射部３２と同様に、この指標光透過部の位置を変更することにより、合焦点を変更することができる。
【００６８】
液晶素子とＤＭＤ素子とが基本的に異なるのは、ＤＭＤ素子ではオンの状態の微小ミラーとオフの状態の微小ミラーとが光を反射する方向が異なるものであるのに対し、液晶素子ではオンの状態の画素が光を透過し、オフの状態の画素が光を遮断することである。したがって、前述のように、ＤＭＤ素子では光軸が反射によって折れ曲がるが、液晶素子では光を透過するので光軸を折り曲げることはない。かかる点では、液晶素子を使用する場合は、従来の光を透過するスリット板と光路が同等になるといえる。
【００６９】
【発明の効果】
本発明の眼科用撮影装置では、ミラー素子によって任意形状の光学的スリットが形成され、且つ、このスリットの位置を変更することが容易であるため、所定形状のスリット照明光を被検眼に照射することができ、被検眼において高精度に反射光を分離することができる。したがって、従来のスリット板のようにスリットの形成、配置の困難性が回避される。また、観察撮影する各層の細胞の状態に対応し、撮影中においても最適の照明方法を選択し、変更することができる。
【図面の簡単な説明】
図１（ａ）および図１（ｂ）には、照明光源１１、１２からの照明光を第一ミラー素子３６においてスリット化したときのスリット像の上下の向きを示す矢印と左右の向きを示すまち針形とが併記されている。図１（ｂ）はミラー素子３６、３７における像の向きをミラー素子の背面側から見た状態で示したものである。第一ミラー素子３６と第二ミラー素子３７とでは入射する像の上下および左右の向きがそれぞれ反対となる。図１（ｃ）はミラー素子３６、３７におけるスリット反射部３６ａ、３７ａの移動（走査）をミラー素子の背面側から見た状態で示したものである。図中の二点鎖線は微小ミラーの駆動範囲を示している。図１（ｄ）は第一ミラー素子３６のスリット反射部３６ａが図１（ｃ）に示す方向に移動するときの被検眼の前眼部におけるスリット照明光の移動方向を示すものである。
【図１】図１（ａ）本発明にかかる眼科用撮影装置の一実施形態の主に光路を概略的に示す平面図であり、図１（ｂ）は図１（ａ）の眼科用撮影装置のミラー素子における像の向きをミラー素子の背面側から見た状態で示したものであり、図１（ｃ）は上記ミラー素子におけるスリット反射部の移動をミラー素子の背面側から見た状態で示したものであり、図１（ｄ）は図１（ａ）の眼科用撮影装置の第一ミラー素子のスリット反射部が図１（ｃ）に示す方向に移動するときの被検眼の前眼部におけるスリット照明光の移動方向を示すものである。
【図２】図１のＩＩ−ＩＩ線矢視図であり、主にその光路を示している。
【図３】図１のＩＩＩ−ＩＩＩ線矢視図であり、主にその光路を示している。
【図４】図１の装置の中央部の断面図であり、主にその光路を示す図である。
【図５】図１の装置におけるミラー素子への入射光の方向と反射光の方向との関係を示す側面図である。
【図６】図６（ａ）および図６（ｂ）は、被検眼に対するスリット照明光の走査時のミラー素子に設定されたスリット反射部の動きを示す平面図である。
【図７】図７（ａ）および図７（ｂ）はそれぞれ、図１の装置によってなされる被検眼に対するスリット照明光の走査を示す断面図である。
【図８】図４のＶＩＩＩ−ＶＩＩＩ線矢視図である。
【図９】図９（ａ）〜図９（ｃ）はともに、図１の装置によってなされる第一アライメント動作の一例を示すモニタ画面の正面図である。
【図１０】図１０（ａ）〜図１０（ｈ３）はそれぞれ、図１の装置におけるミラー素子に設定されるスリット反射部の例を示す平面図である。
【図１１】図１の装置による、作動位置検出時の検出用指標光および撮影用照明光の関係を示す断面図である。
【図１２】図１２（ａ）および図１２（ｂ）はともに、図１の装置によってなされる第二アライメント動作の一例を示す側面図である。
【図１３】図１の装置によってなされる第二アライメント動作の一例を示すモニタ画面の正面図である。
【図１４】角膜の断面を模式的に示す断面図である。
【符号の説明】
１    眼科用撮影装置
２    機枠
３    ＸＹＺ移動架台
４    ＸＹＺ追随架台
５    照明レンズ
６    照明光学系
６ａ  （照明光学系の）光軸
７    撮影光学系
７ａ  （撮影光学系の）光軸
８    第一アライメント光学系
９    第二アライメント光学系
１０    作動位置検出光学系
１０ａ  検出光照射光学系
１０ｂ  検出光検出光学系
１１    連続観察ランプ
１２    キセノン管
１３    リレーレンズ
１４    照明用対物レンズ
１５    ホットミラー
１７    ＣＣＤカメラ
１８    撮影用対物レンズ
１９    ミラー
２０    撮影レンズ
２１    ホットミラー
２２    アライメント用対物レンズ
２３Ｘ  Ｘ軸用光源
２３Ｙ  Ｙ軸用光源
２３Ｘａ  Ｘ軸用光源の像
２３Ｙａ  Ｙ軸用光源の像
２４    受光素子
２５ａ  拡散レンズ
２５ｂ  結像レンズ
２６    モニタ画面
２７Ｘ  Ｘ方向ゲート
２７Ｙ  Ｙ方向ゲート
２８    検出用ランプ
２９    作動位置検出センサ
３０    ミラー
３１    光吸収体
３２    指標光反射部
３３    第二アライメント指標光源
３４    受光素子
３５    結像レンズ
３６    第一ミラー素子
３７    第二ミラー素子
３６ａ  第一ミラー素子のスリット反射部
３７ａ  第二ミラー素子のスリット反射部
３８    モータ
３９    マスク
４２    制御装置
４３    顎台
４４    額当て
Ｂｆ  第二アライメント指標光
Ｂｒ  （第二アライメント指標光の）反射光
Ｅ    被検眼
Ｆ    輝点
Ｈ    視野範囲
ｒ    （被検眼表面の）曲率半径
【図１】
2004236843.tif 000003
【図２】
2004236843.tif 000004
【図３】
2004236843.tif 000005
【図４】
2004236843.tif 000006
【図５】
2004236843.tif 000007
【図６】
2004236843.tif 000008
【図７】
2004236843.tif 000009
【図８】
2004236843.tif 000010
【図９】
2004236843.tif 000011
【図１０】
2004236843.tif 000012
【図１１】
2004236843.tif 000013
【図１２】
2004236843.tif 000014
【図１３】
2004236843.tif 000015
【図１４】
2004236843.tif 000016